(57)【要約】【課題】眼鏡の部品同士の連結に於いて、例え回動する部分でも連結部が緩まない様にする事。【解決手段】ナット基台（１２）と、該ナット基台のネジ用軸孔（３０）方向に連設された略円錐台形又は略ドーム型の延設突起部（１８）とを有し、該延設突起部にはそのネジ用軸孔方向に平行なスリット（４０）がその延設突起部の壁面（１４）に少なくとも一箇所以上設けられ、前記延設突起部のネジ用軸孔内部のネジ目の谷部がナット基台のネジ目の谷部よりも浅く形成され、しかも徐々に先端部に行くに従い更に浅く形成され、そして、ボルトが挿入された時、前記延設突起部の略円錐台形又は略ドーム型の先端部の弾性変形後の弾性復帰力により緩み止め効果を有する様にし、眼鏡の部品同士の連結部に使用した。【選択図】図３
2011122712.tif 000002
【特許請求の範囲】
【請求項１】
ナット基台と、該ナット基台のネジ用軸孔方向に連設された略円錐台形又は略ドーム型の延設突起部とを有し、該延設突起部にはそのネジ用軸孔方向に平行なスリットがその延設突起部の壁面に少なくとも一箇所以上設けられ、前記延設突起部のネジ用軸孔内部のネジ目の谷部がナット基台のネジ目の谷部よりも浅く形成され、しかも先端部に行くに従い次第に浅く形成され、そして、ボルトが挿入された時、前記延設突起部の略円錐台形又は略ドーム型の先端部の弾性変形後の弾性復帰力により緩み止め効果を有する様にされた事を特徴とする緩み止めナット。
【請求項２】
前記請求項１記載の緩み止めナットのナット基台を丁番駒の雌駒部のどちらか一方と見立て、前記緩み止めナットと同様の構造の延設突起部をその雌駒部の外側に設け、雄駒部分を前記雌駒部に嵌合させボルトによりネジ止めした事を特徴とする丁番部に於ける眼鏡部品の連結構造。
【請求項３】
前記請求項１記載の緩み止めナットのナット基台をレンズ保持用のリムロックのどちらか一方と見立て、前記緩み止めナットと同様の構造の延設突起部をその外側に設け、両方のリムロックをボルトによりネジ止めした事を特徴とするリムロックに於ける眼鏡部品の連結構造。
【請求項４】
リムレス眼鏡に於いて、レンズ止着部品とレンズと、そして請求項１記載の緩み止めナットとをボルトによりネジ止めした事を特徴とする眼鏡部品の連結構造。
【発明の詳細な説明】
【技術分野】
【０００１】  本発明は緩み止めナットに関し、特に眼鏡部品の連結に使用される緩み止めナット及びその連結構造に関する。
【背景技術】
【０００２】  眼鏡の部品同士の連結の中で、特に、丁番部、リムロック部、リムレス眼鏡のレンズ止着部等に於いては、部品が小さいか或いは薄い上に、動きが激しい部分が多く、その分応力が掛かり、直ぐにネジが緩んでしまって、眼鏡部品の破損、故障が多発しているのが現状であり、それは今でも変わってはいない。そこで、従来、その緩み止めを解消する為に、例えば、特開平１１−２３１２６６（特許文献１）の様な、眼鏡部品締結用ナットが提案されていた。【０００３】
【特許文献１】特開平１１−２３１２６６
【発明の開示】
【発明が解決しようとする課題】
【０００４】  しかしながら、特開平１１−２３１２６６の様な図９に示したナットは、部品点数が多くなり、構造が複雑で、ネジの縦方向に嵩張り見栄えが良くなく、手や肌に引っ掛かりが多くなってしまっていた。又、動きの激しい丁番部には使用出来なかった。
【課題を解決するための手段】
【０００５】  そこで本発明に於いては上記課題を解決する為に、先ず、ナット基台と、該ナット基台のネジ用軸孔方向に連設された略円錐台形又は略ドーム型の延設突起部とを有し、該延設突起部にはそのネジ用軸孔方向に平行なスリットがその壁面に少なくとも一箇所以上設けられ、前記延設突起部のネジ用軸孔内部のネジ目の谷部がナット基台のネジ目の谷部よりも浅く形成され、しかも徐々に先端部に行くに従い更に浅く形成され、そして、ボルトが挿入された時、前記延設突起部の略円錐台形又は略ドーム型の先端部の弾性変形後の弾性復帰力により緩み止め効果を有するナットを提供する。【０００６】更に、前記緩み止めナットのナット基台を丁番駒の雌駒部のどちらか一方とし、前記緩み止めナットと同様の構造の延設突起部をその雌駒部の外側に設け、雄駒部分を嵌合させボルトにより前記雌駒部とをネジ止めをし、丁番部連結とした。【０００７】  そして、更に、前記緩み止めナットのナット基台をレンズ保持用のリムロックのどちらか一方とし、前記緩み止めナットと同様の構造の延設突起部をその外側に設け、そして、両方のリムロックをボルトによりネジ止めし、リムロック部の連結となした。【０００８】又、リムレス眼鏡に於いて、レンズ止着部品とレンズと、そして前記緩み止めナットとを、ボルトによりネジ止めし、リムレス眼鏡のレンズ止着部となした。
【発明の効果】
【０００９】  本発明のナット、及びそれを使用した連結構造を採用する事により、部品点数が少なくて済み、構造も簡単で、ネジ孔方向に嵩張る事も無く、そして、何より緩み止め効果が大きいという利点があった。しかも、ボルトの取り付け取り外しの目視検査の際にも、ボルトの先端部のネジ山の減りや潰れも無く、異常なく、そのボルトのその後の他の従来のナットへの締め付け使用も本発明のナットに使用する前と変わり無く使用出来た。
【図面の簡単な説明】
【００１０】
【図１】本発明の実施例１の斜視図である。
【図２】本発明の実施例１の変化例斜視図である。
【図３】本発明の実施例１のボルト挿入前のネジ孔軸線方向縦断断面図。
【図４】本発明の実施例１のボルト挿入後のネジ孔軸線方向縦断断面図。
【図５】本発明の実施例２の丁番部に本発明のナットを使用した正面図。
【図６】本発明の実施例３のリムロック部に本発明のナットを使用した正面図。
【図７】本発明の実施例４のリムレス眼鏡のレンズ止着部に本発明のナットを使用した平面図。
【図８】本発明の実施例２である図５の応用例図
【図９】従来図
【発明を実施するための形態】
【００１１】  ナット基台と、該ナット基台のネジ用軸孔方向に連設された略円錐台形又は略ドーム型の延設突起部とを有し、該延設突起部にはそのネジ用軸孔方向に平行なスリットがその壁面に少なくとも一箇所以上設けられ、前記延設突起部のネジ用軸孔内部のネジ目の谷部がナット基台のネジ目の谷部よりも浅く形成され、しかも徐々に先端部に行くに従い更に浅く形成され、そして、ボルトが挿入された時、前記延設突起部の略円錐台形又は略ドーム型の先端部の弾性変形後の弾性復帰力により緩み止め効果を有するナットとし、更に、それを、眼鏡の部品同士の連結部品として使用した。
【実施例１】
【００１２】図１、図２、図３、及び図４は、本発明の実施例１の斜視図と軸心を通り軸心に平行な断面図である。図１は、本発明のナット１０と通常のボルト２０であり、ナット基台１２と、該ナット基台１２のネジ用軸孔３０方向に連設された略円錐台形１６の延設突起部１８とを有し、該延設突起部１８にはそのネジ用軸孔方向に平行なスリット４０がその壁面に少なくとも一箇所以上設けられている。この場合スリット４０は二箇所が好ましいが別にそれに拘るものではない。そして、図３の様に、前記延設突起部１８のネジ用軸孔内部のネジ目の谷部５２がナット基台のネジ目の谷部５０よりも浅く不完全ネジ部として形成され、しかも徐々に先端部１９に行くに従い更に浅く形成され、そして、ボルトが挿入された時、前記延設突起部１８の略円錐台形又は略ドーム型の先端部の弾性変形後の弾性復帰力により緩み止め効果を有する。【００１３】  図２は、前記ナット基台のネジ用軸孔方向に連設された延設突起部１８が略ドーム型１６ａの場合であり、この様な形状でも良く、又角錐台形のような類似の形状でも良い。【００１４】  図３、図４はボルト２０挿入前と挿入後の断面図であり、ナット基台１２と、該ナット基台のネジ用軸孔方向に連設された略円錐台形（又は略ドーム型）１６の延設突起部１８とを有し、該延設突起部にはそのネジ用軸孔方向に平行なスリット４０がその壁面１４に少なくとも一箇所以上設けられ、前記延設突起部のネジ用軸孔内部のネジ目の谷部５２がナット基台のネジ目の谷部５０よりも浅く形成され、しかも徐々に先端部に行くに従い更に浅く形成されている。そして、ボルト２０が挿入された時、前記延設突起部の略円錐台形又は略ドーム型の先端部の弾性変形Ａ後の弾性復帰力Ｂにより緩み止め効果を有する。前記浅くされた延設突起部のネジ谷部５２は徐々に上端部に行くほど浅くされ、上端部では殆ど谷部が無いくらいにされる。ボルト２０のネジの山部の高さ分２４だけ延設突起部１８上端部１９が軸心にほぼ直角に横に弾性変形Ａし、その弾性復帰力Ｂによりしっかりとした緩み止めが実現できた。
【実施例２】
【００１５】  図５は、実施例２であり、本発明の緩み止めナットのナット基台を丁番部又は丁番部品の丁番駒の雌駒部６０のどちらか一方と見立て、本発明の緩み止めナットの延設突起部６２部分をその雌駒部６０の外側に一体的に設け、雄駒部分６４を嵌合させボルト２０ａにより前記延設突起部６２を含む雌駒部とをネジ止めをした。こうする事により丁番部の激しい動きにも耐え緩みが殆ど無くなった。又、図８の様に二枚駒のどちらかを本発明の緩み止めナットのナット基台と見立て、その外側に本発明の緩み止めナットの延設突起部を設けた形でも良い。この様な丁番又は丁番部はテンプルの回動、折り畳みのみに使用されるだけではなく、跳ね上げ眼鏡用の丁番、パッド足部の取付け部等にも使用可能である。
【実施例３】
【００１６】  図６は、本発明の実施例３であり、本発明の緩み止めナットのナット基台をレンズ保持用のリムロック７０，７１のどちらか一方とし、本発明の緩み止めナットに施した同様の構造の延設突起部をその外側に設け、両方のリムロックをボルト２０ｃによりレンズを保持する様にネジ止めした。
【実施例４】
【００１７】  図７は、本発明の実施例４であり、本発明の緩み止めナットをリムレス眼鏡に使用し、レンズ止着部品９０とレンズＬと、そして本発明の緩み止めナット１０とをボルト２０ｄによりネジ止めした。ここでレンズ止着部品とは、ヨロイ、ブリッジ、等を表す。そして、部品点数が少なくてもしっかり緩み止め効果があり見栄えもすっきりとした。
【産業上の利用可能性】
【００１８】  眼鏡のみならず、精密機械部品の止着・緩み止めにも使用可能である。
【符号の説明】
【００１９】１０            本発明の緩み止めナット
１２            緩み止めナット基台
１６            円錐台形
１８            延設突起部
１９            延設突起部上端部（先端部）
２０            通常（従来）のボルト
４０            延設突起部スリット
５０            ナット基台のネジ目の谷部
５２            延設突起部ネジ目の谷部
６０            丁番部雌駒部
６４            丁番部雄駒部
７０            リムロック部
９０            レンズ止着部品
Ｌ              レンズ
【図１】
2011122712.tif 000003
【図２】
2011122712.tif 000004
【図３】
2011122712.tif 000005
【図４】
2011122712.tif 000006
【図５】
2011122712.tif 000007
【図６】
2011122712.tif 000008
【図７】
2011122712.tif 000009
【図８】
2011122712.tif 000010
【図９】
2011122712.tif 000011